(57)【要約】【課題】構造簡易で安価な部材で構成でき、接続作業も容易なフェンス用支柱を提供する。【解決手段】フェンス用支柱１は、基礎パイプ２、支柱パイプ３、両パイプを接続する固定金具４を具備する。基礎パイプ２は、設置面Ｂ上に立設される。支柱パイプ３は、下部が基礎パイプ２の上部に外挿され、固定金具４によって所望の高さ位置に固定される。固定金具４は、クランプ金具６，７、これらを固定する固定部材５と、金網パネルＰを引き止めるフックボルト８とを具備する。クランプ金具６は、基礎パイプ２を把持し、上面に支柱パイプ３の下端を載せ受ける。クランプ金具７は、クランプ金具６の上方で、支柱パイプ３を把持する。固定部材５は、クランプ金具６，７が固着される接続板部５１と、金網パネルＰを載せ受ける支持板部５２とを有する。フックボルト８で、金網パネルＰをと支持板部５２へ引き止める。【選択図】図１
2015105467.tif 000002
【特許請求の範囲】
【請求項１】
垂直の取り付け側面に沿うように金網パネルを支持するフェンス用の支柱であって、
設置面上に立設される基礎パイプと、この基礎パイプの上部に下部が高さ調整自在に外挿されて基礎パイプに接続される支柱パイプと、前記基礎パイプ上の所望の高さ位置に前記支柱パイプを固定する固定金具とを具備し、
前記固定金具は、固定部材と、この固定部材に上下に相互間隔を置いて固着される第１及び第２のクランプ金具と、固定部材に前記金網パネルの下端部を引き止めるフックボルトを具備し、
前記固定部材は、一方の面に前記第１及び第２のクランプ金具が固着され他方の面に前記金網パネルが沿わされる垂直の接続板部と、この接続板部の他方の面の下部から直角に延出し上面に前記金網パネルの下端を載せ受ける支持板部とを具備し、
前記第１のクランプ金具は、前記接続板部の下部に固着され、前記基礎パイプを所望の高さ位置で把持し、上面に前記支柱パイプの下端を載せ受け、
前記第２のクランプ金具は、前記第１のクランプ金具の上方において前記接続板部に固着され、前記基礎パイプ上の前記支柱パイプを把持し、
前記フックボルトは、軸部とこの軸部の一端側に形成された鈎部とを具備し、軸部が前記接続板部の下部を貫通してナットで当該接続板部に固定され、鈎部と前記支持板部とで前記金網パネルの下端部を引き止めることを特徴とするフェンス用支柱。
【発明の詳細な説明】
【技術分野】
【０００１】
本発明は、垂直の側面に沿って金網パネルを吊り止めるフェンス用の支柱に関する。
【背景技術】
【０００２】
従来、フェンス用支柱の支持構造として、例えば、特許文献1に記載されたものが知られている。この支持構造においては、地面に打ち込まれた鋼管基礎と、この鋼管基礎の上端に取付けられた支柱とを有する。鋼管基礎の上端には、連結プレートが溶接などで固定され、支柱の下端にも連結プレートが溶接などで固定される。鋼管基礎上端の連結プレート上に支柱下端の連結プレートが載置され、ボルト締めして固定される。
【先行技術文献】
【特許文献】
【０００３】
【特許文献１】特開２０１２−４５００５号公報
【発明の概要】
【発明が解決しようとする課題】
【０００４】
特許文献１に記載のフェンス用支柱の支持構造においては、地面に固定される鋼管基礎とその上端に取付けられる支柱とに、互いに接続するための連結プレートを予め設ける必要があり、両柱材共に特殊形状のものであるため、比較的高価なものとならざるを得ず、また、接続作業も容易ではないという課題がある。
したがって、本発明は、構造簡易で安価な部材で構成でき、接続作業も容易なフェンス用支柱を提供することを目的としている。
【課題を解決するための手段】
【０００５】
以下、添付図面の符号を参照して説明するが、本発明はこれに限定されるものではない。
上記課題を解決するための、本発明のフェンス用支柱１は、基礎パイプ２と、支柱パイプ３と、両パイプを接続する固定金具４とを具備し、垂直の取り付け側面に沿うように金網パネルＰを支持する。基礎パイプ２は、設置面Ｂ上に立設される。支柱パイプ３は、基礎パイプ２の上部に下部が高さ調節自在に外挿され、基礎パイプ２上に固定金具４で接続される。固定金具４は、第１及び第２のクランプ金具６，７と、これらを固定する固定部材５と、固定部材５に金網パネルの下端部を引き止めるフックボルト８とを具備する。下位の第１のクランプ金具６は、基礎パイプ２を所望の高さ位置で把持し、それの上面に支柱パイプ３の下端を載せ受ける。上位の第２のクランプ金具７は、支柱パイプ３を把持する。第１及び第２のクランプ金具６，７は、固定部材５に、上下に相互間隔を置いて固着される。固定部材５は、第１及び第２のクランプ金具６，５が一方の面に固着される垂直の接続板部５１と、この接続板部５１の他方の面の下部から延出する支持板部５２とを具備する。フックボルト８は、軸部８１とその先端の鈎部８２とを具備し、軸部８１が接続板部５１の下部を貫通してナットで接続板部５１に固定され、鈎部８２と支持板部５２とで金網パネルＰの下端部を引き止める。
【発明の効果】
【０００６】
本発明のフェンス用支柱１は、それを構成する基礎パイプ２と支柱パイプ３が、構造の簡易な管材からなるため、安価に得られ、また両パイプ２，３を固定金具４によって、高さを調整しつつ容易に固定できる。固定金具４の支持板部５２とフックボルト７によって、金網パネルＰの固定作業も容易に行える。
【図面の簡単な説明】
【０００７】
【図１】本発明に係るフェンス用支柱の斜視図である。
【図２】図１のフェンス用支柱における固定金具の斜視図である。
【図３】図１のフェンス用支柱の正面図である。
【図４】図１のフェンス用支柱の平面図である。
【図５】図３におけるＶ−Ｖ断面図である。
【図６】本発明に係るフェンス用支柱の設置状態の正面図である。
【発明を実施するための形態】
【０００８】
図面を参照して本発明の実施の形態を説明する。
フェンス用支柱１は、基礎パイプ２と、支柱パイプ３と、両パイプを接続する固定金具４とを具備し、垂直の取り付け側面に沿うように、金網パネルＰを支持する。
【０００９】
図５に示すように、基礎パイプ２は、下部を地中に打ち込む等して、設置面Ｂ上に垂直に立設される。支柱パイプ３は、基礎パイプ２より大径で、下部が基礎パイプ２の上部に外挿され、固定金具４により、所定の高さ位置に固定される。支柱パイプ３は、上下方向に所定の相互間隔で形成された複数のボルト孔を有し、これに金網パネルＰを支持するフックボルト１０（図６）が取り付けられる。
【００１０】
固定金具４は、基礎パイプ２上の所望の高さ位置に、支柱パイプ３を固定するもので、固定部材５と、第１及び第２のクランプ金具６，７と、フックボルト７とを具備する。フックボルト７は、固定部材５に金網パネルの下端部を引き止める
【００１１】
固定部材５は、垂直の接続板部５１と、接続板部５１の下部から直角に延出する支持板部５２と、支持板部５２の先端縁から直角に立ち上がる起立片５３とを具備する。接続板部５１の支持板部５２と反対側の一方の面に第１及び第２のクランプ金具６，７が固着される。なお、接続板部５１は、基礎パイプ２と支柱パイプ３の径の違いを吸収するための段部５１ａを備えている。支持板部５２は、上面に金網パネルＰの下端を載せ受ける。金網パネルＰは、接続板部５１の他方の面に沿わされる。
【００１２】
図５に示すように、第１のクランプ金具６は、接続板部５１の下部に固着され、基礎パイプ２を所望の高さ位置で把持し、上面に支柱パイプ３の下端を載せ受ける。
【００１３】
第２のクランプ金具７は、第１のクランプ金具６の上方において接続板部５１に固着される。第２のクランプ金具７は、基礎パイプ２に外挿され、第１のクランプ金具６上に高さを決めて立ち上げられた支柱パイプ３を把持する。
【００１４】
フックボルト８は、軸部８１とその先端の鈎部８２とを具備し、軸部８１が接続板部５１の下部のボルト孔５１ｂを貫通してナット９で接続板部５１に固定され、鈎部７ａと支持板部５２とで金網パネルＰの下端部を固定金具４に引き止める。
【００１５】
フェンス用支柱１を立設する場合には、例えば下部を地中に打ち込んで設置面Ｂに垂直に固定された基礎パイプ２の所望の高さ位置を下方のクランプ金具６で把持することにより、固定金具４を基礎パイプ２上に固着する。支柱パイプ３の固定高さ位置は、基礎パイプ２上のクランプ金具６の把持位置により決定されるので、それを考慮して把持位置を定める。次いで、基礎パイプ２上に、支柱パイプ３の下端部を外挿し、その下端面をクランプ金具６の上面に支持させ、上方のクランプ金具７で、支柱パイプ３の外周を把持する。これにより、支柱パイプ３が基礎パイプ２上の所望の高さ位置に固定される。地盤面の高さに応じて、下方のクランプ金具６で基礎パイプ２を把持する位置を調整することで、隣接する支柱パイプ３の高さを合わせる。
【００１６】
このようにして複数立設された支柱１の側面に金網パネルＰを支持する。金網パネルＰの取り付けに当たっては、例えば、それの下端を隣り合う２つの支柱１の固定金具４の支持板部５２上に支持した上、支柱１毎に取り付け高さ位置を調整しつつ、図１に示すように、金網パネルＰの下端の横格子Ｐ１にフックボルト８の鈎部８２を掛け、ナット９（図２）で引き留める。図６に示すように、金網パネルＰの上部は、支柱パイプ３のボルト孔に挿通された別のフックボルト１０により支柱１に引き止められる。
【符号の説明】
【００１７】
１    フェンス用支柱
２    基礎パイプ
３    支柱パイプ
４    固定金具
５    固定部材
５１  接続板部
５１ａ  段部
５１ｂ  ボルト孔
５２  支持板部
６    第１のクランプ金具
７    第２のクランプ金具
８    フックボルト
８１  軸部
８２  鈎部
９    ナット
１０  フックボルト
Ｐ    金網パネル
Ｐ１  横格子
【図１】
2015105467.tif 000003
【図２】
2015105467.tif 000004
【図３】
2015105467.tif 000005
【図４】
2015105467.tif 000006
【図５】
2015105467.tif 000007
【図６】
2015105467.tif 000008
【手続補正書】
【提出日】平成26年12月16日(2014.12.16)
【手続補正１】
【補正対象書類名】特許請求の範囲
【補正対象項目名】請求項１
【補正方法】変更
【補正の内容】
【請求項１】
垂直の取り付け側面に沿うように金網パネルを支持するフェンス用の支柱であって、
設置面上に立設される基礎パイプと、この基礎パイプの上部に下部が高さ調整自在に外挿されて基礎パイプに接続される支柱パイプと、前記基礎パイプ上の所望の高さ位置に前記支柱パイプを固定する固定金具とを具備し、
前記固定金具は、固定部材と、この固定部材に上下に相互間隔を置いて固着される第１及び第２のクランプ金具と、固定部材に前記金網パネルの下端部を引き止めるフックボルトを具備し、
前記固定部材は、一方の面に前記第１及び第２のクランプ金具が固着され他方の面に前記金網パネルが沿わされる垂直の接続板部と、この接続板部の他方の面の下部から直角に延出し上面に前記金網パネルの下端を載せ受ける支持板部とを具備し、
前記第１のクランプ金具は、前記接続板部の下部に固着され、前記基礎パイプを所望の高さ位置で把持し、上面に前記支柱パイプの下端を載せ受け、
前記第２のクランプ金具は、前記第１のクランプ金具の上方において前記接続板部に固着され、前記基礎パイプ上の前記支柱パイプを把持し、
前記フックボルトは、軸部とこの軸部の一端側に形成された鈎部とを具備し、軸部が前記金網パネルの下部及び前記接続板部の下部を貫通してナットで当該接続板部に固定され、鈎部と前記支持板部との間に金網パネルの下端部を拘束することを特徴とするフェンス用支柱。
【手続補正書】
【提出日】平成27年2月25日(2015.2.25)
【手続補正１】
【補正対象書類名】特許請求の範囲
【補正対象項目名】請求項１
【補正方法】変更
【補正の内容】
【請求項１】
垂直の取り付け側面に沿うように金網パネルを支持するフェンス用の支柱であって、
設置面上に立設される基礎パイプと、この基礎パイプの上部に下部が高さ調整自在に外挿されて基礎パイプに接続される支柱パイプと、前記基礎パイプ上の所望の高さ位置に前記支柱パイプを固定する固定金具とを具備し、
前記固定金具は、固定部材と、この固定部材に上下に相互間隔を置いて固着される第１及び第２のクランプ金具と、固定部材に前記金網パネルの下端部を引き止めるフックボルトを具備し、
前記固定部材は、一方の面に前記第１及び第２のクランプ金具が固着され他方の面に前記金網パネルが沿わされる垂直の接続板部と、この接続板部の他方の面の下部から直角に延出し上面に前記金網パネルの下端を載せ受ける支持板部とを具備し、
前記第１のクランプ金具は、前記接続板部の下部に固着され、前記基礎パイプを所望の高さ位置で把持し、上面に前記支柱パイプの下端を載せ受け、
前記第２のクランプ金具は、前記第１のクランプ金具の上方において前記接続板部に固着され、前記基礎パイプ上の前記支柱パイプを把持し、
前記フックボルトは、軸部とこの軸部の一端側に形成された鈎部とを具備し、軸部が前記金網パネルの下部及び前記接続板部の下部を貫通してナットで当該接続板部に固定され、軸部と前記支持板部との間に金網パネルの下端部を拘束することを特徴とするフェンス用支柱。